(57)【特許請求の範囲】
【請求項１】
冷媒圧縮機の近傍に配置され、上部が冷凍サイクルの低圧側管路に接続される密閉容器と、
一端が前記冷媒圧縮機の吸入部に接続され、他端が前記密閉容器の底部貫通孔を貫通して該密閉容器内まで挿入され、前記底部貫通孔にロウ付けされた銅管と、
一端が前記銅管の他端と接続され他端が前記密閉容器内の上部まで延設された鉄管と、
を備えることを特徴とする冷媒圧縮機用のアキュムレータ。
【請求項２】
前記鉄管の内径と前記銅管の内径が同一であることを特徴とする請求項１に記載の冷媒圧縮機用のアキュムレータ。
【発明の詳細な説明】
【技術分野】
【０００１】
本発明は、冷凍装置や空気調和機等の冷凍サイクルに使用される冷媒圧縮機用のアキュムレータに関するものである。
【背景技術】
【０００２】
従来、上蓋と下蓋と胴シェルによって構成される密閉容器と、前記密閉容器の上端部中央を貫通する冷媒吸入管と、前記密閉容器の下端部を貫通して密閉容器内部に向かって直立する低圧連絡管と、前記冷媒吸入管との間に配置された仕切板と、前記仕切板に設けられた複数の冷媒流通路とを有する圧縮機用アキュムレータであって、前記低圧連絡管は、前記密閉容器の内部で直立する大径の鉄製直管と、前記密閉容器の底部で前記鉄製直管と外周溶接により接続する小径の銅製曲管とから成る圧縮機用アキュムレータが開示されている（例えば、特許文献１参照）。
【０００３】
また、密閉容器の外部から内部上方まで延びる低圧連絡管を銅管のみで構成した圧縮機用のアキュムレータが開示されている（例えば、特許文献２参照）。
【先行技術文献】
【特許文献】
【０００４】
【特許文献１】特開２００９−１９７６２２号公報
【特許文献２】特開２００５−１８８２９５号公報
【発明の概要】
【発明が解決しようとする課題】
【０００５】
しかしながら、上記特許文献１に記載された従来の技術によれば、密閉容器の内部で直立する大径の鉄製直管と、密閉容器の外部に延びる小径の銅製曲管と、密閉容器の底部貫通孔とを、外周溶接により接続しているので、圧縮機本体の振動が銅製曲管からアキュムレータの密閉容器の底部へ伝達され、密閉容器の底部から振動音が発生する、という問題がある。その理由は、前記外周溶接は、接続強度（剛性）が大きく、圧縮機本体の振動が密閉容器の底部に伝達され易くなっているからである。
【０００６】
また、上記特許文献２に記載された従来の技術によれば、低圧連絡管を銅管のみで構成しているので、銅材料の使用量が多く、高コストとなる、という問題がある。
【０００７】
本発明は、上記に鑑みてなされたものであって、アキュムレータの密閉容器の底部から発生する振動音が低く、かつ、低コストな冷媒圧縮機用のアキュムレータを得ることを目的とする。
【課題を解決するための手段】
【０００８】
上述した課題を解決し、目的を達成するために、本発明は、冷媒圧縮機の近傍に配置され、上部が冷凍サイクルの低圧側管路に接続される密閉容器と、一端が前記冷媒圧縮機の吸入部に接続され、他端が前記密閉容器の底部貫通孔を貫通して該密閉容器内まで挿入され、前記底部貫通孔にロウ付けされた銅管と、一端が前記銅管の他端と接続され他端が前記密閉容器内の上部まで延設された鉄管と、を備えることを特徴とする。
【発明の効果】
【０００９】
本発明にかかる冷媒圧縮機用のアキュムレータは、密閉容器の底部から発生する振動音が低く、かつ、低コストである、という効果を奏する。
【図面の簡単な説明】
【００１０】
【図１】図１は、本発明にかかる冷媒圧縮機用のアキュムレータの実施例１を示す縦断面図である。
【図２】図２は、特許文献１に記載された従来のアキュムレータと実施例１のアキュムレータの騒音レベル比較図である。
【図３】図３は、本発明にかかる冷媒圧縮機用のアキュムレータの実施例２を示す縦断面図である。
【発明を実施するための形態】
【００１１】
以下に、本発明にかかる冷媒圧縮機用のアキュムレータの実施例を図面に基づいて詳細に説明する。なお、この実施例によりこの発明が限定されるものではない。
【実施例１】
【００１２】
図１は、本発明にかかる冷媒圧縮機用のアキュムレータの実施例１を示す縦断面図であり、図２は、特許文献１に記載された従来のアキュムレータと実施例１のアキュムレータの騒音レベル比較図である。
【００１３】
実施例１の冷媒圧縮機用のアキュムレータ１は、図示しない冷媒圧縮機の側方の近傍に配置され、アキュムホルダ及びアキュムバンドにより冷媒圧縮機の筐体に取付けられる。
【００１４】
図１に示すように、実施例１の冷媒圧縮機用のアキュムレータ１は、天板を有する円筒状の上シェル１１の下部と、底板を有する円筒状の下シェル１２の上部とを接合した円筒状の密閉容器１０を備えている。上シェル１１の天板中央には、冷凍サイクルの低圧側管路に接続されるシステム接続管１３が嵌入され固着されている。
【００１５】
また、実施例１のアキュムレータ１は、一端が図示しない前記冷媒圧縮機の吸入部に接続され、他端が密閉容器１０の下シェル１２の底部貫通孔２２ａ、２２ｂを貫通して密閉容器１０内まで挿入されたＬ字型の第１、第２の銅管１４１ａ、１４１ｂを備えている。第１、第２の銅管１４１ａ、１４１ｂは、夫々低部貫通孔２２ａ、２２ｂに銅ロウ付けされている。銅ロウ付けは、溶接に比べて接合の剛性が低い。
【００１６】
また、実施例１のアキュムレータ１は、一端が第１、第２の銅管１４１ａ、１４１ｂの他端の接続部１４３ａ、１４３ｂに内嵌されて接続され、他端が密閉容器１０内の上部まで延設された第１、第２の鉄管１４２ａ、１４２ｂを備えている。第１、第２の鉄管１４２ａ、１４２ｂは、直管である。
【００１７】
互いに接続されたＬ字型の第１の銅管１４１ａと第１の鉄管１４２ａとは、第１の低圧連絡管１４ａを構成し、Ｌ字型の第２の銅管１４１ｂと第２の鉄管１４２ｂとは、第２の低圧連絡管１４ｂを構成している。第１、第２の低圧連絡管１４ａ、１４ｂは、冷凍サイクルの低圧冷媒を、アキュムレータ１を介して図示しない冷媒圧縮機の圧縮部に導く。
【００１８】
密閉容器１０の上部の第１、第２の低圧連絡管１４ａ、１４ｂの上方には、仕切板１６が配置されている。仕切板１６には、システム接続管１３から流入した冷媒が、第１、第２の低圧連絡管１４ａ、１４ｂの上部入口に直接流入しないように、上部入口に対向しない位置に、複数個の冷媒通過孔が設けられている。また、密閉容器１０の上下方向中間部には、第１、第２の低圧連絡管１４ａ、１４ｂを固定するステー１７が配置されている。
【００１９】
実施例１のアキュムレータ１の特徴的な構成として、第１、第２の銅管１４１ａ、１４１ｂを、夫々低部貫通孔２２ａ、２２ｂに銅ロウ付けすると共に、第１、第２の銅管１４１ａ、１４１ｂと第１、第２の鉄管１４２ａ、１４２ｂとを、密閉容器１０の内部で接続しているので、図２に示すように、密閉容器１０の底部から発生する振動音を、冷媒圧縮機の低速域から高速域に亘り、引用文献１に記載された従来のアキュムレータに比べて小さくすることができる。また、銅材料の使用量を少なくすることができ、引用文献２に記載された従来のアキュムレータに比べて低コストとなる。
【実施例２】
【００２０】
図３は、本発明にかかる冷媒圧縮機用のアキュムレータの実施例２を示す縦断面図である。図３に示すように、実施例２の冷媒圧縮機用のアキュムレータ２は、一端が図示しない冷媒圧縮機の吸入部に接続され、他端が密閉容器１０の下シェル１２の底部貫通孔２２ａ、２２ｂを貫通して密閉容器１０内まで挿入されたＬ字型の第１、第２の銅管１４１ａ、１４１ｂを備えている。第１、第２の銅管１４１ａ、１４１ｂは、夫々低部貫通孔２２ａ、２２ｂに銅ロウ付けされている。
【００２１】
また、実施例２のアキュムレータ２は、一端が第１、第２の銅管１４１ａ、１４１ｂの他端の接続部１４３ａ、１４３ｂに内嵌されて接続され、他端が密閉容器１０内の上部まで延設された第１、第２の鉄管１４２ａ、１４２ｂを備えている。
【００２２】
実施例２のアキュムレータ２の特徴的な構成として、第１、第２の銅管１４１ａ、１４１ｂの内径は、第１、第２の鉄管１４２ａ、１４２ｂの内径と同一であり、第１、第２の銅管１４１ａ、１４１ｂの外径は、第１、第２の鉄管１４２ａ、１４２ｂの外径よりも大きい。
【００２３】
第１、第２の銅管１４１ａ、１４１ｂは、接続部１４３ａ、１４３ｂの内壁が切削されて第１、第２の鉄管１４２ａ、１４２ｂの外径寸法と同一径まで拡径され、この内径が拡径された接続部１４３ａ、１４３ｂに、第１、第２の鉄管１４２ａ、１４２ｂの一端を内嵌させ、第１、第２の銅管１４１ａ、１４１ｂと第１、第２の鉄管１４２ａ、１４２ｂとを接続している。接続部１４３ａ、１４３ｂの内壁を切削せずに、プレス加工等により拡管して第１、第２の鉄管１４２ａ、１４２ｂの一端を内嵌する方法もあるが、この場合、接続部１４３ａ、１４３ｂの外径が拡大し、接続部１４３ａ、１４３ｂを挿入するために、アキュムレータ２の低部貫通孔２２ａ、２２ｂの径を拡大しなければならず、第１、第２の銅管１４１ａ、１４１ｂの中間部を銅ロウ付けするときに、隙間が多くなって作業性が悪くなる。実施例２のアキュムレータ２の上記の部分以外の構成は、実施例１のアキュムレータ１と変わるところはないので、他の部分の説明は省略する。
【００２４】
実施例２のアキュムレータ２は、第１、第２の銅管１４１ａ、１４１ｂの内径と第１、第２の鉄管１４２ａ、１４２ｂの内径が同一であるので、管内を流れる冷媒ガスの流動抵抗が小さく、アキュムレータ２が取付けられた冷媒圧縮機の効率悪化を防ぐことができる。
【産業上の利用可能性】
【００２５】
以上のように、本発明にかかる冷媒圧縮機のアキュムレータは、冷凍装置や空気調和機等の冷凍サイクルに使用されるロータリ圧縮機に適している。
【符号の説明】
【００２６】
１、２  冷媒圧縮機のアキュムレータ
１０  密閉容器
１１  上シェル
１２  下シェル
１４ａ  第１の低圧連絡管
１４ｂ  第２の低圧連絡管
１４１ａ  第１の銅管
１４１ｂ  第２の銅管
１４２ａ  第１の鉄管
１４２ｂ  第２の鉄管
１４３ａ、１４３ｂ  接続部
１６  仕切板
１７  ステー
２２ａ、２２ｂ  底部貫通孔
【図１】
0005531891.tif 000002
【図２】
0005531891.tif 000003
【図３】
0005531891.tif 000004